(57)【要約】【課題】電力小売事業者に適切な需要家情報を通知することができる情報通知方法を提供する。【解決手段】本発明の一態様に係る情報通知方法は、第１需要家の電力使用量を時間毎に示す第１電力使用情報を受信し（Ｓ１１）、電力小売事業者が希望する希望需要家条件を受信し（Ｓ１２）、第１電力使用情報が希望需要家条件に適合するか否かを判定し（Ｓ１３）、第１電力使用情報が希望需要家条件に適合すると判定された場合、第１需要家に関する第１需要家情報を電力小売事業者に通知する（Ｓ１４）。【選択図】図２
2016103956.tif 000002
【特許請求の範囲】
【請求項１】
第１需要家の電力使用量を時間毎に示す第１電力使用情報を受信し、
電力小売事業者が希望する希望需要家条件を受信し、
前記第１電力使用情報が前記希望需要家条件に適合するか否かを判定し、
前記第１電力使用情報が前記希望需要家条件に適合すると判定された場合、前記第１需要家に関する第１需要家情報を前記電力小売事業者に通知する
情報通知方法。
【請求項２】
前記第１需要家は、前記電力小売事業者から電力供給を受けていない需要家である
請求項１に記載の情報通知方法。
【請求項３】
さらに、前記希望需要家条件を前記第１需要家に通知する
請求項２に記載の情報通知方法。
【請求項４】
さらに、前記電力小売事業者に前記第１需要家情報が通知された場合、前記電力小売事業者に前記第１需要家情報が通知されたことを前記第１需要家に通知する
請求項２に記載の情報通知方法。
【請求項５】
さらに、前記電力小売事業者から電力供給を受けている少なくとも１つの第２需要家の電力使用量を時間毎に示す第２電力使用情報を受信し、
前記第１電力使用情報が前記希望需要家条件に適合するか否かの判定において、前記第１電力使用情報と前記第２電力使用情報との間における負の相関が所定の相関よりも高い場合、前記第１電力使用情報が前記希望需要家条件に適合すると判定する
請求項１〜４のいずれか１項に記載の情報通知方法。
【請求項６】
さらに、前記電力小売事業者から電力供給を受けている少なくとも１つの第２需要家の電力使用量を時間毎に示す第２電力使用情報を受信し、
前記第１電力使用情報が前記希望需要家条件に適合するか否かの判定において、前記第１電力使用情報と前記第２電力使用情報との間における正の相関が所定の相関よりも高い場合、前記第１電力使用情報が前記希望需要家条件に適合すると判定する
請求項１〜４のいずれか１項に記載の情報通知方法。
【請求項７】
さらに、前記電力小売事業者から電力供給を受けている少なくとも１つの第２需要家の電力使用量を時間毎に示す第２電力使用情報、および、前記電力小売事業者が目標とする電力使用量を時間毎に示す第３電力使用情報を受信し、
前記第１電力使用情報が前記希望需要家条件に適合するか否かの判定において、前記第１電力使用情報と、前記第３電力使用情報から前記第２電力使用情報を差し引いた差分情報との間における正の相関が所定の相関よりも高い場合、前記第１電力使用情報が前記希望需要家条件に適合すると判定する
請求項１〜４のいずれか１項に記載の情報通知方法。
【請求項８】
前記第２電力使用情報は、前記電力小売事業者から電力供給を受けている複数の第２需要家の電力使用量を時間毎に示す
請求項５〜７のいずれか１項に記載の情報通知方法。
【請求項９】
前記第２電力使用情報は、前記複数の第２需要家の平均化された電力使用量を時間毎に示す
請求項８に記載の情報通知方法。
【請求項１０】
さらに、発電量を時間毎に示す発電量情報を受信し、
前記第１電力使用情報が前記希望需要家条件に適合するか否かの判定において、前記第１電力使用情報と前記発電量情報との間における正の相関が所定の相関よりも高い場合、前記第１電力使用情報が前記希望需要家条件に適合すると判定する
請求項１〜４のいずれか１項に記載の情報通知方法。
【請求項１１】
第１需要家の電力使用量を時間毎に示す第１電力使用情報を受信し、電力小売事業者が希望する希望需要家条件を受信する受信部と、
前記第１電力使用情報が前記希望需要家条件に適合するか否かを判定する判定部と、
前記第１電力使用情報が前記希望需要家条件に適合すると判定された場合、前記第１需要家に関する第１需要家情報を前記電力小売事業者に通知する通知部とを備える
情報通知装置。
【請求項１２】
前記第１需要家は、前記電力小売事業者から電力供給を受けていない需要家である
請求項１１に記載の情報通知装置。
【発明の詳細な説明】
【技術分野】
【０００１】
本発明は、需要家情報を通知する情報通知方法等に関する。
【背景技術】
【０００２】
従来、電力市場の自由化が進められており、これに伴い、電力市場の自由化を前提とするシステムおよび方法等が提案されている。
【０００３】
例えば、特許文献１に記載の方法では、電力小売事業者が、複数の発電事業者と複数の需要家を募集し、発電事業者から供給される電力を、電力会社の送電網を通じて、需要家に供給する。電力小売事業者は、需要家を募る際に、その負荷特性を考慮して、最適な需要家の組合せを求め、発電事業者を募る際に、その発電特性を考慮して、最適な発電事業者の組合せを求める。それらの需要家および発電事業者と契約を結ぶことにより、発電コストを最小に導き、電力供給を効率化することが可能となる。
【先行技術文献】
【特許文献】
【０００４】
【特許文献１】特開２００２−６４９３４号公報
【発明の概要】
【発明が解決しようとする課題】
【０００５】
しかしながら、電力小売事業者が自身にとって適切な需要家を見つけ出すことが困難な場合がある。
【０００６】
例えば、電力小売事業者にとって適切な需要家は、電力小売事業者が既に契約している需要家の状況に依存する場合がある。より具体的には、電力小売事業者にとって適切な需要家は、契約した需要家のロードカーブ（電力使用量を時間毎に示す情報）をフラットなロードカーブまたは特定のロードカーブに近づけるような新規の需要家かもしれない。
【０００７】
また、電力小売事業者は、特許文献１に記載のような最適な需要家の組合せに含まれる需要家と契約を結ぶことができない場合がある。この場合、電力小売事業者にとって適切な需要家は、契約を結ぶことができなかった需要家と同じような別の需要家かもしれない。
【０００８】
電力小売事業者が適切な需要家を見つけ出すことができなければ、電力サービスが効率的に提供されず、発電された電力が有効に活用されない可能性がある。
【０００９】
そこで、本発明は、電力小売事業者に適切な需要家情報を通知することができる情報通知方法等を提供することを目的とする。
【課題を解決するための手段】
【００１０】
上記目的を達成するために、本発明の一態様に係る情報通知方法は、第１需要家の電力使用量を時間毎に示す第１電力使用情報を受信し、電力小売事業者が希望する希望需要家条件を受信し、前記第１電力使用情報が前記希望需要家条件に適合するか否かを判定し、前記第１電力使用情報が前記希望需要家条件に適合すると判定された場合、前記第１需要家に関する第１需要家情報を前記電力小売事業者に通知する。
【００１１】
また、本発明の一態様に係る情報通知装置は、第１需要家の電力使用量を時間毎に示す第１電力使用情報を受信し、電力小売事業者が希望する希望需要家条件を受信する受信部と、前記第１電力使用情報が前記希望需要家条件に適合するか否かを判定する判定部と、前記第１電力使用情報が前記希望需要家条件に適合すると判定された場合、前記第１需要家に関する第１需要家情報を前記電力小売事業者に通知する通知部とを備える。
【発明の効果】
【００１２】
本発明の一態様に係る情報通知方法等は、電力小売事業者に適切な需要家情報を通知することができる。
【図面の簡単な説明】
【００１３】
【図１】本発明の実施の形態における情報通知装置の構成を示すブロック図
【図２】本発明の実施の形態における情報通知装置の動作を示すフローチャート
【図３】本発明の実施の形態における情報通知システムの構成を示すブロック図
【図４】本発明の実施の形態における複数の需要家を示す概念図
【図５】本発明の実施の形態における通信装置の構成を示すブロック図
【図６】本発明の実施の形態における通信装置の記憶部のデータを示すデータテーブル図
【図７】本発明の実施の形態における情報通知システムの第１動作例を示すシーケンス図
【図８】本発明の実施の形態における情報通知システムの第２動作例を示すシーケンス図
【図９】本発明の実施の形態における情報通知システムの第３動作例を示すシーケンス図
【図１０】本発明の実施の形態における情報通知システムの第４動作例を示すシーケンス図
【図１１】本発明の実施の形態における情報通知システムの第５動作例を示すシーケンス図
【図１２】本発明の実施の形態における情報通知システムの第６動作例を示すシーケンス図
【図１３】本発明の実施の形態における情報の送受信を示す模式図
【図１４】本発明の実施の形態における情報通知システムの第１適用例を示す模式図
【図１５】本発明の実施の形態における情報通知システムの第２適用例を示す模式図
【発明を実施するための形態】
【００１４】
以下、本発明の実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１５】
また、以下の説明における第１、第２および第３などの序数は、適宜、付け替えられてもよい。また、以下の説明における需要家は、電力の供給を受けて、電力を利用する消費者または顧客等を意味し、需要者とも呼ばれる。
【００１６】
（実施の形態）
本実施の形態は、需要家情報を通知する情報通知装置の基本的な構成、および、情報通知装置の具体的な適用例を示す。まず、情報通知装置の基本的な構成を図１および図２を用いて説明する。
【００１７】
図１は、本実施の形態における情報通知装置の構成を示すブロック図である。図１に示された情報通知装置１０は、受信部１１、判定部１２および通知部１３を備える。例えば、情報通知装置１０は、これらの構成要素を備える電子計算機（コンピュータ）である。情報通知装置１０は、需要家情報を通知するための専用の装置でもよいし、汎用の装置でもよい。情報通知装置１０は、複数の装置で構成されていてもよい。
【００１８】
受信部１１は、情報通知装置１０の入力部に相当し、情報（信号）が情報通知装置１０の外部から受信部１１に入力される。具体的には、受信部１１は、需要家の電力使用量を時間毎に示す電力使用情報を受信する。その際、受信部１１は、需要家の通信装置から通信ネットワークを介して電力使用情報を受信してもよいし、入力装置から電力使用情報を受信してもよい。
【００１９】
また、受信部１１は、電力小売事業者が希望する希望需要家条件を受信する。その際、受信部１１は、電力使用情報と同様に、電力小売事業者の通信装置から通信ネットワークを介して希望需要家条件を受信してもよいし、入力装置から希望需要家条件を受信してもよい。なお、ここで、希望需要家条件は、希望需要家条件を示す情報を意味する場合がある。
【００２０】
判定部１２は、情報通知装置１０の処理部に相当し、情報処理を行う。具体的には、判定部１２は、電力使用情報が希望需要家条件に適合するか否かを判定する。すなわち、判定部１２は、受信部１１で受信された電力使用情報が、受信部１１で受信された希望需要家条件を満たすか否かを判定する。
【００２１】
通知部１３は、情報通知装置１０の出力部に相当し、情報（信号）が通知部１３から情報通知装置１０の外部に出力される。
【００２２】
具体的には、通知部１３は、電力使用情報が希望需要家条件に適合すると判定された場合、需要家に関する需要家情報を電力小売事業者に通知する。ここで、通知部１３は、需要家情報を出力することにより、需要家情報を電力小売事業者に通知する。例えば、通知部１３は、表示装置に需要家情報を表示することにより、需要家情報を電力小売事業者に通知してもよいし、通信ネットワークを介して電力小売事業者の通信装置に需要家情報を送信することにより、需要家情報を電力小売事業者に通知してもよい。
【００２３】
図２は、図１に示された情報通知装置１０の動作を示すフローチャートである。まず、受信部１１は、電力使用情報を受信する（Ｓ１１）。次に、受信部１１は、希望需要家条件を受信する（Ｓ１２）。あるいは、受信部１１は、電力使用情報を受信する前に、希望需要家条件を受信してもよい。あるいは、受信部１１は、電力使用情報の受信と、希望需要家条件の受信とを並行して行ってもよい。
【００２４】
次に、判定部１２は、電力使用情報が希望需要家条件に適合するか否かを判定する（Ｓ１３）。ここで、電力使用情報が希望需要家条件に適合する場合（Ｓ１３でＹｅｓ）、通知部１３は、需要家情報を電力小売事業者に通知する（Ｓ１４）。電力使用情報が希望需要家条件に適合しない場合（Ｓ１３でＮｏ）、通知部１３は、需要家情報を電力小売事業者に通知しない。
【００２５】
これにより、情報通知装置１０は、電力小売事業者に適切な需要家情報を通知することができる。したがって、電力小売事業者が適切な需要家と契約できる可能性が高くなる。その結果、電力サービスが効率的に提供され、発電事業者で発電された電力が有効に活用される。
【００２６】
例えば、電力小売事業者が希望する希望需要家条件は、電力小売事業者が需要家に対して時間毎に希望する電力使用量を示す。そして、各時間に対して、電力小売事業者が希望する電力使用量に需要家の電力使用量が適合する場合に、判定部１２は、電力使用情報が希望需要家条件に全体的に適合すると判定してもよい。
【００２７】
これにより、電力小売事業者が希望する電力使用量の時間変化と、需要家の電力使用量の時間変化との適合性に基づいて、電力使用情報が希望需要家条件に適合するか否かが適切に判定される。
【００２８】
なお、上記の需要家は、第１需要家と表現される場合がある。また、第１需要家の電力使用情報は、第１電力使用情報と表現される場合がある。そして、第１需要家に関する需要家情報は、第１需要家情報と表現される場合がある。
【００２９】
例えば、第１需要家は、希望需要家条件を希望する電力小売事業者から電力供給を受けていない需要家である。第１需要家は、他の電力小売事業者から電力供給を受けている需要家でもよい。このような需要家は、未契約需要家または新規需要家と表現される場合がある。情報通知装置１０は、未契約需要家に関する需要家情報を電力小売事業者に通知することにより、新規契約対象の需要家として適切な需要家を電力小売事業者に通知することができる。
【００３０】
また、例えば、需要家に関する需要家情報は、需要家を特定し識別するための情報である。需要家情報は、需要家の氏名、住所および電話番号等が含まれてもよい。情報通知装置１０は、需要家情報を予め保持していてもよいし、電力使用情報と共に需要家情報を受信してもよい。また、需要家情報は、需要家の電力使用情報を含んでいてもよい。
【００３１】
また、通知部１３は、希望需要家条件を需要家に通知してもよい。例えば、通知部１３は、電力小売事業者から電力供給を受けていない需要家に希望需要家条件を通知する。需要家は、希望需要家条件に基づいて電力を使用し、電力小売事業者と契約することで、電力小売事業者から電力供給を受けることができる。そして、これにより、電力サービスが効率的に提供され、発電事業者で発電された電力が有効に活用される。
【００３２】
また、受信部１１は、さらに、既に電力小売事業者から電力供給を受けている少なくとも１つの需要家の電力使用量を時間毎に示す電力使用情報を受信してもよい。このような需要家は、第２需要家、契約済需要家または既存需要家と表現される場合がある。また、第２需要家の電力使用情報は、第２電力使用情報と表現される場合がある。すなわち、受信部１１は、第１需要家の第１電力使用情報、および、第２需要家の第２電力使用情報を受信してもよい。
【００３３】
そして、例えば、第１電力使用情報と第２電力使用情報との間における負の相関が所定の相関よりも高い場合、判定部１２は、第１電力使用情報が希望需要家条件に適合すると判定してもよい。これにより、情報通知装置１０は、ロードカーブを平準化するための需要家情報を電力小売事業者に通知することができる。なお、この例において、希望需要家条件は、第１電力使用情報と第２電力使用情報との間における負の相関が所定の相関よりも高いという条件に相当する。
【００３４】
また、例えば、第１電力使用情報と第２電力使用情報との間における正の相関が所定の相関よりも高い場合、判定部１２は、第１電力使用情報が希望需要家条件に適合すると判定してもよい。これにより、情報通知装置１０は、類似の需要家を集客している電力小売事業者に対して、適切な需要家情報を通知することができる。なお、この例において、希望需要家条件は、第１電力使用情報と第２電力使用情報との間における正の相関が所定の相関よりも高いという条件に相当する。
【００３５】
また、例えば、受信部１１は、さらに、電力小売事業者が目標とする電力使用量を時間毎に示す電力使用情報を受信してもよい。この電力使用情報は、第３電力使用情報と表現される場合がある。すなわち、受信部１１は、第１電力使用情報、第２電力使用情報および第３電力使用情報を受信してもよい。
【００３６】
そして、例えば、第１電力使用情報と、第３電力使用情報から第２電力使用情報を差し引いた差分情報との間における正の相関が所定の相関よりも高い場合、判定部１２は、第１電力使用情報が希望需要家条件に適合すると判定してもよい。
【００３７】
これにより、情報通知装置１０は、ロードカーブを目標のロードカーブに近づけるための需要家情報を電力小売事業者に通知することができる。なお、この例では、希望需要家条件は、第１電力使用情報と、第３電力使用情報から第２電力使用情報を差し引いた差分情報との間における正の相関が所定の相関よりも高いという条件に相当する。また、差分情報は、具体的には、時間毎に、第３電力使用情報が示す電力使用量から第２電力使用情報が示す電力使用量を差し引いた差分を示す。
【００３８】
また、例えば、第２電力使用情報は、複数の第２需要家の電力使用量を時間毎に示す電力使用情報でもよい。この場合、第１需要家の電力使用情報と、複数の第２需要家の電力使用情報との関係に基づいて、第１需要家情報を通知するか否かが切り替えられる。
【００３９】
また、例えば、第２電力使用情報は、複数の第２需要家の平均化された電力使用量を時間毎に示す電力使用情報でもよい。これにより、第１需要家の電力使用情報と、複数の第２需要家の平均的な電力使用情報との関係に基づいて、第１需要家情報を通知するか否かが切り替えられる。
【００４０】
また、例えば、受信部１１は、さらに、発電量情報を受信してもよい。発電量情報は、発電量を時間毎に示す。具体的には、発電量は、電力小売事業者が需要家に供給するための電力を発電する発電事業者で発電される電力の量である。そして、発電量情報と、需要家の電力使用情報との間における正の相関が所定の相関よりも高い場合、判定部１２は、需要家の電力使用情報が希望需要家条件に適合すると判定してもよい。
【００４１】
これにより、情報通知装置１０は、発電量の時間変化に沿った電力使用態様を有する需要家の需要家情報を電力小売事業者に通知することができる。なお、この例では、希望需要家条件は、発電量情報と、需要家の電力使用情報との間における正の相関が所定の相関よりも高いという条件に相当する。
【００４２】
また、例えば、通知部１３は、需要家に関する需要家情報を電力小売事業者に通知した場合、需要家情報が電力小売事業者に通知されたことを需要家に通知してもよい。これにより、情報通知装置１０は、需要家にとって適切な電力小売事業者を需要家に通知することができる。そして、これにより、需要家は、電力小売事業者から適切な電力サービスの提供を受けることができる。したがって、電力サービスが効率的に提供され、発電事業者で発電された電力が有効に活用される。
【００４３】
また、例えば、相関（相関性）の高さは、相関の高さを表す指標である相関係数などに基づいて定められる。また、比較に用いられる所定の相関は、固定的な相関でもよいし、相対的な相関でもよい。例えば、所定の相関は、他の需要家の電力使用情報に基づく相関でもよい。より具体的には、所定の相関は、複数の需要家に対して得られる複数の相関のうち、高い方から３番目の相関などでもよい。また、所定の相関は、例えば、相関係数が０であるような無相関に相当してもよい。
【００４４】
また、相関が高いことを相関が強いと表現する場合がある。そして、相関が低いことを相関が弱いと表現する場合がある。
【００４５】
また、ここで表現される時間は、１日の範囲における時間に限られず、より長い期間における時間でもよい。例えば、時間は、時間軸における曜日、月または季節などを示してもよい。
【００４６】
また、情報通知装置１０は、さらに、第２需要家の第２電力使用情報等を用いて、希望需要家条件を推定する推定部を備えてもよい。この場合、受信部１１は、希望需要家条件を受信しなくてもよい。
【００４７】
次に、図１に示された情報通知装置１０のより具体的な例について図３〜１５に沿って説明する。以下において、まず、図３〜６を用いて、本実施の形態における情報通知システムの構成、および、情報通知システムに含まれる通信装置の構成を説明する。
【００４８】
図３は、本実施の形態における情報通知システムの構成を示すブロック図である。図３に示された情報通知システム２０は、電力小売事業者の通信装置２１、サービス運営事業者の通信装置２２、および、需要家の通信装置２３を備える。
【００４９】
電力小売事業者は、発電事業者において発電された電力を需要家に供給する事業者である。電力小売事業者の通信装置２１は、サービス運営事業者の通信装置２２と通信する。具体的には、電力小売事業者の通信装置２１は、サービス運営事業者の通信装置２２に希望需要家条件を送信し、サービス運営事業者の通信装置２２から需要家情報を受信する。
【００５０】
例えば、電力小売事業者の通信装置２１は、通信機能を有する電子計算機（コンピュータ）である。通信装置２１は、情報通知システム２０のための専用の装置でもよいし、汎用の装置でもよい。通信装置２１は、携帯電話またはスマートフォンなどのような携帯端末でもよい。通信装置２１は、複数の装置で構成されていてもよい。
【００５１】
サービス運営事業者は、電力小売事業者と需要家とを仲介する事業者である。サービス運営事業者の通信装置２２は、電力小売事業者の通信装置２１および需要家の通信装置２３と通信する。サービス運営事業者の通信装置２２は、図１に示された情報通知装置１０に相当する。
【００５２】
具体的には、サービス運営事業者の通信装置２２は、電力小売事業者の通信装置２１から希望需要家条件を受信し、需要家の通信装置２３から電力使用情報を受信する。そして、サービス運営事業者の通信装置２２は、電力使用情報が希望需要家条件に適合する場合、需要家情報を電力小売事業者の通信装置２１に送信する。
【００５３】
例えば、サービス運営事業者の通信装置２２は、通信機能を有する電子計算機（コンピュータ）である。通信装置２２は、情報通知システム２０のための専用の装置でもよいし、汎用の装置でもよい。サービス運営事業者の通信装置２２は、基本的には、電力小売事業者の通信装置２１および需要家の通信装置２３から常時アクセス可能なサーバであるが、携帯電話またはスマートフォンなどのような携帯端末でもよい。通信装置２２は、複数の装置で構成されていてもよい。
【００５４】
需要家は、電力小売事業者と契約することにより、電力小売事業者から電力供給を受けることができる。需要家の通信装置２３は、サービス運営事業者の通信装置２２と通信する。具体的には、需要家の通信装置２３は、サービス運営事業者の通信装置２２に電力使用情報を送信する。
【００５５】
例えば、需要家の通信装置２３は、通信機能を有する電子計算機（コンピュータ）である。通信装置２３は、情報通知システム２０のための専用の装置でもよいし、汎用の装置でもよい。通信装置２３は、携帯電話またはスマートフォンなどのような携帯端末でもよい。
【００５６】
また、需要家の通信装置２３は、電力使用量を計測し、計測された電力使用量を電力使用情報として送信するスマートメータまたはＨＥＭＳ（Ｈｏｍｅ  Ｅｎｅｒｇｙ  Ｍａｎａｇｅｍｅｎｔ  Ｓｙｓｔｅｍ）コントローラでもよい。また、通信装置２３は、複数の装置で構成されていてもよい。
【００５７】
なお、電力小売事業者の通信装置２１とサービス運営事業者の通信装置２２とは、通信ネットワークを介して互いに通信してもよい。同様に、サービス運営事業者の通信装置２２と需要家の通信装置２３とは、通信ネットワークを介して互いに通信してもよい。通信ネットワークは、情報通知システム２０のための専用のネットワークでもよいし、インターネットのような汎用のネットワークでもよい。また、通信には、無線通信が用いられてもよいし、有線通信が用いられてもよい。
【００５８】
また、電力小売事業者とサービス運営事業者とは統合されていてもよい。この場合、通信装置２２は、通信装置２１へ情報を送信する代わりに、表示装置または印刷装置などの出力装置を介して情報を出力してもよいし、通信装置２１から情報を受信する代わりに、入力装置などから情報を受信してもよい。
【００５９】
また、図３では、１つの需要家が示されており、サービス運営事業者の通信装置２２が、１つの需要家の通信装置２３と通信することが示されている。しかし、サービス運営事業者の通信装置２２は、複数の需要家の複数の通信装置と通信してもよい。
【００６０】
図４は、本実施の形態における複数の需要家を示す概念図である。図４には、需要家Ａ、需要家Ｂ、需要家Ｃおよび需要家Ｄが示されている。そして、サービス運営事業者の通信装置２２は、需要家Ａの通信装置２３Ａ、需要家Ｂの通信装置２３Ｂ、需要家Ｃの通信装置２３Ｃ、および、需要家Ｄの通信装置２３Ｄと通信する。そして、サービス運営事業者の通信装置２２は、需要家Ａ〜Ｄのそれぞれに対して、電力使用情報が希望需要家条件に適合するか否かを判定する。
【００６１】
サービス運営事業者の通信装置２２は、電力使用情報を受信するための需要家Ａ〜Ｄのそれぞれに関する需要家情報を予め保持していてもよい。例えば、需要家Ａ〜Ｄは、図３における所定の電力小売事業者から電力供給を受けていない需要家として、サービス運営事業者の通信装置２２に登録されていてもよい。
【００６２】
図５は、図３に示された通信装置２２の構成を示すブロック図である。図５のように、通信装置２２は、記憶部３１、判定部３２および通信部３３を備える。
【００６３】
記憶部３１は、情報を記憶するためのメモリである。記憶部３１には、電力小売事業者が希望する希望需要家条件、および、需要家の電力使用情報が記憶される。
【００６４】
判定部３２は、電力使用情報が希望需要家条件に適合するか否かを判定する処理部である。判定部３２は、図１に示された情報通知装置１０の判定部１２に相当する。
【００６５】
通信部３３は、電力小売事業者の通信装置２１から希望需要家条件を受信する。また、通信部３３は、需要家の通信装置２３から需要家の電力使用情報を受信する。また、通信部３３は、電力小売事業者の通信装置２１に需要家情報を送信することにより、電力小売事業者に需要家情報を通知する。通信部３３は、図１に示された情報通知装置１０の受信部１１および通知部１３に相当する。
【００６６】
図６は、図５に示された記憶部３１に記憶されるデータを示すデータテーブル図である。図６の例では、需要家Ａ〜Ｄのそれぞれについて時間毎の電力使用量が電力使用情報として記憶部３１に記憶される。すなわち、電力使用情報は、時間的に変化する電力使用量を示す。例えば、需要家Ａの電力使用情報において、７月１日０時の電力使用量は３５０Ｗであり、７月１日１時の電力使用量は３８０Ｗである。
【００６７】
また、図６の例では、電力小売事業者が時間毎に希望する電力使用量が希望需要家条件として記憶部３１に記憶される。例えば、希望需要家条件において、７月１日０時の電力使用量は６００Ｗであり、７月１日１時の電力使用量は７００Ｗである。図６の例では、電力使用情報と希望需要家条件とが記憶部３１における１つのテーブルに記憶されているが、別々の複数のテーブルに記憶されてもよい。
【００６８】
また、電力使用情報および希望需要家条件の一方または両方において、日付の情報は省略されてもよい。つまり、電力使用情報または希望需要家条件における電力使用量は、複数の日付で平均化されてもよい。また、電力使用量は、瞬時の値（電力）ではなく、例えば３０分間または１時間のような時間間隔における値（エネルギー）でもよい。
【００６９】
電力使用量を時間毎に示す情報は、電力パターンまたはロードカーブとも表現される。電力使用情報および希望需要家条件は、このような電力パターンまたはロードカーブを示してもよい。
【００７０】
なお、希望需要家条件は、電力使用量を時間毎に示す情報に限られず、その他の形式で表現されてもよい。例えば、希望需要家条件は、電力使用量が満たすべき所定の範囲を示す情報でもよい。また、例えば、電力小売事業者が電力負荷の平準化を希望する場合、希望需要家条件は、電力負荷の平準化を表す情報でもよい。
【００７１】
また、記憶部３１には、需要家Ａ〜Ｄのそれぞれに関する需要家情報が記憶されてもよい。需要家情報は、予め記憶されていてもよいし、電力使用情報が記憶される際に、電力使用情報と共に記憶されてもよい。
【００７２】
次に、図７〜１２を用いて、図３に示された情報通知システム２０の様々な動作例を説明する。なお、以下に示される複数の動作例は組み合わされてもよい。これらの動作例は、複数の動作モードとして、希望需要家条件または設定などに基づいて切り替えられてもよい。
【００７３】
図７は、図３に示された情報通知システム２０の第１動作例を示すシーケンス図である。まず、需要家の通信装置２３は、需要家の電力使用情報をサービス運営事業者の通信装置２２に送信し、サービス運営事業者の通信装置２２は、需要家の電力使用情報を需要家の通信装置２３から受信する（Ｓ２１）。
【００７４】
例えば、需要家の通信装置２３は、図６における需要家Ａの電力使用情報のような、需要家の電力使用量を時間毎に示す電力使用情報を送信する。通信装置２３は、時間毎に、その時間の需要家の電力使用量を送信することにより、需要家の電力使用量を時間毎に示す電力使用情報を送信してもよい。同様に、サービス運営事業者の通信装置２２は、時間毎に、その時間の需要家の電力使用量を受信することにより、需要家の電力使用量を時間毎に示す電力使用情報を受信してもよい。
【００７５】
次に、電力小売事業者の通信装置２１は、希望需要家条件をサービス運営事業者の通信装置２２を送信し、サービス運営事業者の通信装置２２は、希望需要家条件を電力小売事業者の通信装置２１から受信する（Ｓ２２）。例えば、電力小売事業者の通信装置２１は、図６における希望需要家条件のような、電力小売事業者が希望する電力使用量を時間毎に示す希望需要家条件を送信する。そして、サービス運営事業者の通信装置２２は、電力小売事業者の通信装置２１から送信された希望需要家条件を受信する。
【００７６】
次に、サービス運営事業者の通信装置２２は、電力使用情報が希望需要家条件に適合するか否かを判定する（Ｓ２３）。例えば、図６の希望需要家条件が用いられる場合、各時間において、電力使用情報の電力使用量と、希望需要家条件の電力使用量との差が小さい場合に、通信装置２２は、電力使用情報が希望需要家条件に適合すると判定する。
【００７７】
より具体的には、電力使用情報と希望需要家条件との間の差分絶対値和が所定値よりも小さい場合に、通信装置２２は、電力使用情報が希望需要家条件に適合すると判定する。所定値は他の需要家の電力使用情報に従って相対的に定められてもよい。図６の例では、需要家Ｄの電力使用情報と希望需要家条件との間の差分絶対値和が最も小さい。そのため、例えば、サービス運営事業者の通信装置２２は、需要家Ｄの電力使用情報が希望需要家条件に適合すると判定する。
【００７８】
差分絶対値和に代えて、電力使用情報と希望需要家条件との間における相関を示す相関係数が用いられてもよい。そして、電力使用情報と希望需要家条件との間における正の相関が所定の相関よりも高い場合、サービス運営事業者の通信装置２２は、電力使用情報が希望需要家条件に適合すると判定してもよい。
【００７９】
ここで、電力使用情報が希望需要家条件に適合しない場合（Ｓ２３でＮｏ）、サービス運営事業者の通信装置２２は、処理を終了する。一方、電力使用情報が希望需要家条件に適合する場合（Ｓ２３でＹｅｓ）、サービス運営事業者の通信装置２２は、電力小売事業者の通信装置２１に需要家情報を送信する。この場合、電力小売事業者の通信装置２１は需要家情報を受信する（Ｓ２４）。
【００８０】
これにより、サービス運営事業者の通信装置２２は、電力小売事業者に適切な需要家情報を通知することができる。
【００８１】
図８は、図３に示された情報通知システム２０の第２動作例を示すシーケンス図である。第２動作例において、第１動作例と同様に、需要家の通信装置２３が需要家の電力使用情報を送信し、サービス運営事業者の通信装置２２が需要家の電力使用情報を受信する（Ｓ３１）。また、第１動作例と同様に、電力小売事業者の通信装置２１が希望需要家条件を送信し、サービス運営事業者の通信装置２２が希望需要家条件を受信する（Ｓ３２）。
【００８２】
第２動作例では、さらに、サービス運営事業者の通信装置２２が、電力小売事業者の通信装置２１から受信した希望需要家条件を需要家の通信装置２３に送信する。そして、需要家の通信装置２３は、サービス運営事業者の通信装置２２から希望需要家条件を受信する（Ｓ３３）。
【００８３】
その後、第１動作例と同様に、サービス運営事業者の通信装置２２は、電力使用情報が希望需要家条件に適合するか否かを判定する（Ｓ３４）。電力使用情報が希望需要家条件に適合しない場合（Ｓ３４でＮｏ）、サービス運営事業者の通信装置２２は、処理を終了する。電力使用情報が希望需要家条件に適合する場合（Ｓ３４でＹｅｓ）、サービス運営事業者の通信装置２２が需要家情報を送信し、電力小売事業者の通信装置２１が需要家情報を受信する（Ｓ３５）。
【００８４】
第２動作例では、希望需要家条件が需要家に通知される。そして、需要家は、通知された希望需要家条件を参考にして電力を使用し、電力小売事業者と契約することで、電力小売事業者から電力サービスの提供を受けることができる。これにより、電力サービスが効率的に提供され、発電事業者で発電された電力が有効に活用される。
【００８５】
なお、図８の例では、電力使用情報が希望需要家条件に適合するか否かの判定の前に、希望需要家条件が需要家に通知される。しかし、電力使用情報が希望需要家条件に適合するか否かの判定の後に、希望需要家条件が需要家に通知されてもよい。例えば、サービス運営事業者の通信装置２２は、電力使用情報が希望需要家条件に適合しない場合に、希望需要家条件を需要家の通信装置２３に送信することにより、希望需要家条件を需要家に通知してもよい。
【００８６】
図９は、図３に示された情報通知システム２０の第３動作例を示すシーケンス図である。第３動作例において、第１動作例と同様に、需要家の通信装置２３が需要家の電力使用情報を送信し、サービス運営事業者の通信装置２２が需要家の電力使用情報を受信する（Ｓ４１）。また、第１動作例と同様に、電力小売事業者の通信装置２１が希望需要家条件を送信し、サービス運営事業者の通信装置２２が希望需要家条件を受信する。
【００８７】
第３動作例では、希望需要家条件は、第１需要家の電力使用情報と、既に電力小売事業者から電力供給を受けている第２需要家の電力使用情報との間における負の相関が所定の相関よりも高いという条件に相当する。電力小売事業者の通信装置２１は、このような条件に相当する情報を希望需要家条件としてサービス運営事業者の通信装置２２に送信する。
【００８８】
例えば、電力小売事業者の通信装置２１は、電力使用量を示す希望需要家条件の代わりに、電力小売事業者が電力負荷の平準化を希望していることを示す情報を希望需要家条件としてサービス運営事業者の通信装置２２に送信する。そして、サービス運営事業者の通信装置２２は、このような希望需要家条件を電力小売事業者の通信装置２１から受信する。
【００８９】
さらに、電力小売事業者の通信装置２１は、第２需要家の電力使用情報をサービス運営事業者の通信装置２２に送信する。そして、サービス運営事業者の通信装置２２は、第２需要家の電力使用情報を電力小売事業者の通信装置２１から受信する（Ｓ４２）。これにより、例えば、サービス運営事業者の通信装置２２は、第１需要家の通信装置２３から第１需要家の電力使用情報を受信し、電力小売事業者の通信装置２１から第２需要家の電力使用情報を受信する。
【００９０】
そして、サービス運営事業者の通信装置２２は、第１需要家の電力使用情報が希望需要家条件に適合するか否かを判定する。その際、サービス運営事業者の通信装置２２は、上記の希望需要家条件に基づいて、第１需要家の電力使用情報と、第２需要家の電力使用情報との間における負の相関が所定の相関よりも高いか否かを判定する（Ｓ４３）。
【００９１】
ここで、負の相関が所定の相関よりも高くない場合（Ｓ４３でＮｏ）、サービス運営事業者の通信装置２２は、処理を終了する。一方、負の相関が所定の相関よりも高い場合（Ｓ４３でＹｅｓ）、サービス運営事業者の通信装置２２が第１需要家の需要家情報を送信し、電力小売事業者の通信装置２１が第１需要家の需要家情報を受信する（Ｓ４４）。
【００９２】
これにより、サービス運営事業者の通信装置２２は、電力負荷（ロードカーブ）を平準化するための需要家情報を電力小売事業者に通知することができる。
【００９３】
なお、第２需要家の電力使用情報として、複数の第２需要家の電力使用情報が用いられてもよい。この場合、第１需要家の電力使用情報と、複数の第２需要家の電力使用情報との関係に基づいて、第１需要家の需要家情報を通知するか否かが切り替えられる。また、第２需要家の電力使用情報として、複数の第２需要家の平均化された電力使用情報が用いられてもよい。これにより、第１需要家の電力使用情報と、複数の第２需要家の平均的な電力使用情報との関係に基づいて、需要家情報を通知するか否かが切り替えられる。
【００９４】
また、第２需要家の電力使用情報と、希望需要家条件とは、一緒に送受信されてもよいし、別々に送受信されてもよい。第２需要家の電力使用情報は、希望需要家条件を示す情報として、希望需要家条件に含まれてもよい。また、サービス運営事業者の通信装置２２は、第２需要家の電力使用情報を第２需要家の通信装置から受信してもよい。
【００９５】
図１０は、図３に示された情報通知システム２０の第４動作例を示すシーケンス図である。第４動作例では、第１需要家の電力使用情報と、第２需要家の電力使用情報との間における正の相関が所定の相関よりも高い場合に、第１需要家の電力使用情報が希望需要家条件に適合すると判定される。具体的には、以下のような動作が行われる。
【００９６】
第４動作例において、第３動作例と同様に、第１需要家の通信装置２３が第１需要家の電力使用情報を送信し、サービス運営事業者の通信装置２２が第１需要家の電力使用情報を受信する（Ｓ５１）。また、第３動作例と同様に、電力小売事業者の通信装置２１が希望需要家条件を送信し、サービス運営事業者の通信装置２２が希望需要家条件を受信する。
【００９７】
第４動作例では、希望需要家条件は、第１需要家の電力使用情報と、既に電力小売事業者から電力供給を受けている第２需要家の電力使用情報との間における正の相関が所定の相関よりも高いという条件に相当する。電力小売事業者の通信装置２１は、このような条件に相当する情報を希望需要家条件としてサービス運営事業者の通信装置２２に送信する。
【００９８】
例えば、電力小売事業者の通信装置２１は、電力使用量を示す希望需要家条件の代わりに、電力小売事業者が第２需要家（契約済需要家）と類似の電力パターンを有する需要家を希望していることを示す情報を希望需要家条件として送信する。そして、サービス運営事業者の通信装置２２は、このような希望需要家条件を電力小売事業者の通信装置２１から受信する。
【００９９】
さらに、電力小売事業者の通信装置２１は、第２需要家の電力使用情報をサービス運営事業者の通信装置２２に送信する。そして、サービス運営事業者の通信装置２２は、第２需要家の電力使用情報を電力小売事業者の通信装置２１から受信する（Ｓ５２）。これにより、例えば、サービス運営事業者の通信装置２２は、第１需要家の通信装置２３から第１需要家の電力使用情報を受信し、電力小売事業者の通信装置２１から第２需要家の電力使用情報を受信する。
【０１００】
そして、サービス運営事業者の通信装置２２は、第１需要家の電力使用情報が希望需要家条件に適合するか否かを判定する。その際、サービス運営事業者の通信装置２２は、上記の希望需要家条件に基づいて、第１需要家の電力使用情報と、第２需要家の電力使用情報との間における正の相関が所定の相関よりも高いか否かを判定する（Ｓ５３）。
【０１０１】
ここで、正の相関が所定の相関よりも高くない場合（Ｓ５３でＮｏ）、サービス運営事業者の通信装置２２は、処理を終了する。一方、正の相関が所定の相関よりも高い場合（Ｓ５３でＹｅｓ）、サービス運営事業者の通信装置２２が第１需要家の需要家情報を送信し、電力小売事業者の通信装置２１が第１需要家の需要家情報を受信する（Ｓ５４）。
【０１０２】
これにより、サービス運営事業者の通信装置２２は、第２需要家と類似の電力パターンを有する第１需要家の需要家情報を電力小売事業者に通知することができる。すなわち、サービス運営事業者の通信装置２２は、類似の需要家を集客している電力小売事業者に対して、適切な需要家情報を通知することができる。
【０１０３】
なお、希望需要家条件は、需要家の電力使用情報と、目標の電力使用情報から第２需要家の電力使用情報を差し引いた差分情報との間における正の相関が所定の相関よりも高いという条件に相当していてもよい。この場合、電力小売事業者の通信装置２１は、第２需要家の電力使用情報をサービス運営事業者の通信装置２２に送信する際（Ｓ５２）、さらに、目標の電力使用情報を送信する。そして、サービス運営事業者の通信装置２２は、目標の電力使用情報を受信する。
【０１０４】
そして、この場合、サービス運営事業者の通信装置２２は、第１需要家の電力使用情報と、目標の電力使用情報から第２需要家の電力使用情報を差し引いた差分情報との間における正の相関が所定の相関よりも高いか否かを判定する（Ｓ５３）。そして、正の相関が所定の相関よりも高い場合（Ｓ５３でＹｅｓ）、サービス運営事業者の通信装置２２が第１需要家の需要家情報を送信し、電力小売事業者の通信装置２１が第１需要家の需要家情報を受信する（Ｓ５４）。
【０１０５】
これにより、サービス運営事業者の通信装置２２は、電力負荷（ロードカーブ）を目標の電力負荷（ロードカーブ）に近づけるための需要家情報を電力小売事業者に通知することができる。
【０１０６】
また、第３動作例と同様に、第２需要家の電力使用情報として、複数の第２需要家の電力使用情報が用いられてもよいし、複数の第２需要家の平均化された電力使用情報が用いられてもよい。
【０１０７】
また、第３動作例と同様に、第２需要家の電力使用情報と、希望需要家条件とは、一緒に送受信されてもよいし、別々に送受信されてもよい。第２需要家の電力使用情報は、希望需要家条件を示す情報として、希望需要家条件に含まれてもよい。
【０１０８】
同様に、目標の電力使用情報は、希望需要家条件と一緒に送受信されてもよいし、希望需要家条件とは別に送受信されてもよい。また、目標の電力使用情報は、希望需要家条件を示す情報として、希望需要家条件に含まれてもよい。希望需要家条件と、目標の電力使用情報とは、同一であってもよく、統合されてもよい。
【０１０９】
また、第３動作例と同様に、サービス運営事業者の通信装置２２は、第２需要家の電力使用情報を第２需要家の通信装置から受信してもよい。
【０１１０】
図１１は、図３に示された情報通知システム２０の第５動作例を示すシーケンス図である。第４動作例では、第２需要家の電力使用情報を用いて、第１需要家の電力使用情報が希望需要家条件に適合するか否かが判定されるが、第５動作例では、発電量を時間毎に示す発電量情報を用いて、電力使用情報が希望需要家条件に適合するか否かが判定される。具体的には、以下のような動作が行われる。
【０１１１】
第５動作例において、第４動作例と同様に、需要家の通信装置２３が需要家の電力使用情報を送信し、サービス運営事業者の通信装置２２が需要家の電力使用情報を受信する（Ｓ６１）。また、第４動作例と同様に、電力小売事業者の通信装置２１が希望需要家条件を送信し、サービス運営事業者の通信装置２２が希望需要家条件を受信する。
【０１１２】
第５動作例では、希望需要家条件は、需要家の電力使用情報と、発電量情報との間における正の相関が所定の相関よりも高いという条件に相当する。電力小売事業者の通信装置２１は、このような条件に相当する情報を希望需要家条件としてサービス運営事業者の通信装置２２に送信する。
【０１１３】
例えば、電力小売事業者の通信装置２１は、電力小売事業者が発電量の時間変化に沿った電力パターンを有する需要家を希望していることを示す情報を希望需要家条件として送信する。そして、サービス運営事業者の通信装置２２は、このような希望需要家条件を電力小売事業者の通信装置２１から受信する。
【０１１４】
さらに、電力小売事業者の通信装置２１は、発電量情報をサービス運営事業者の通信装置２２に送信する。そして、サービス運営事業者の通信装置２２は、発電量情報を電力小売事業者の通信装置２１から受信する（Ｓ６２）。
【０１１５】
そして、サービス運営事業者の通信装置２２は、電力使用情報が希望需要家条件に適合するか否かを判定する。その際、サービス運営事業者の通信装置２２は、上記の希望需要家条件に基づいて、電力使用情報と発電量情報との間における正の相関が所定の相関よりも高いか否かを判定する（Ｓ６３）。
【０１１６】
ここで、正の相関が所定の相関よりも高くない場合（Ｓ６３でＮｏ）、サービス運営事業者の通信装置２２は、処理を終了する。一方、正の相関が所定の相関よりも高い場合（Ｓ６３でＹｅｓ）、サービス運営事業者の通信装置２２が需要家情報を送信し、電力小売事業者の通信装置２１が需要家情報を受信する（Ｓ６４）。
【０１１７】
これにより、サービス運営事業者の通信装置２２は、発電量の時間変化に沿った電力パターンを有する需要家の需要家情報を電力小売事業者に通知することができる。
【０１１８】
図１２は、図３に示された情報通知システム２０の第６動作例を示すシーケンス図である。第６動作例では、さらに、需要家情報が電力小売事業者に通知されたことが需要家に通知される。具体的には、以下のような動作が行われる。
【０１１９】
第６動作例において、第１動作例と同様に、需要家の通信装置２３が需要家の電力使用情報を送信し、サービス運営事業者の通信装置２２が需要家の電力使用情報を受信する（Ｓ７１）。また、第１動作例と同様に、電力小売事業者の通信装置２１が希望需要家条件を送信し、サービス運営事業者の通信装置２２が希望需要家条件を受信する（Ｓ７２）。
【０１２０】
また、第１動作例と同様に、サービス運営事業者の通信装置２２は、電力使用情報が希望需要家条件に適合するか否かを判定する（Ｓ７３）。電力使用情報が希望需要家条件に適合しない場合（Ｓ７３でＮｏ）、サービス運営事業者の通信装置２２は、処理を終了する。電力使用情報が希望需要家条件に適合する場合（Ｓ７３でＹｅｓ）、サービス運営事業者の通信装置２２が需要家情報を送信し、電力小売事業者の通信装置２１が需要家情報を受信する（Ｓ７４）。ここまで、第６動作例は、第１動作例と同様である。
【０１２１】
第６動作例では、需要家情報が電力小売事業者に通知（提供）されたことが需要家に通知される。すなわち、サービス運営事業者の通信装置２２は、需要家情報の送信後、需要家情報が電力小売事業者に通知されたことを示す情報を需要家の通信装置２３に送信し、需要家の通信装置２３が、その情報を受信する（Ｓ７５）。
【０１２２】
これにより、サービス運営事業者の通信装置２２は、需要家にとって適切な電力小売事業者を需要家に通知することができる。
【０１２３】
なお、第６動作例の説明において、第１動作例がベースに示されているが、その他の動作例でも同様に、需要家情報が電力小売事業者に通知されたことが需要家に通知されてもよい。
【０１２４】
次に、図１３〜１５を用いて、図３に示された情報通知システム２０の適用シーン等を説明する。
【０１２５】
図１３は、本実施の形態における情報の送受信を示す模式図である。図１３の通り、サービス運営事業者の通信装置２２は、需要家毎に通信装置２３から電力使用情報（電力パターン）を受信する。そして、サービス運営事業者の通信装置２２は、需要家毎に電力パターンを保持することにより、複数の電力パターンを保持する。
【０１２６】
また、サービス運営事業者の通信装置２２は、電力小売事業者の通信装置２１から希望需要家条件を受信する。希望需要家条件は、例えば、電力小売事業者が希望する電力パターンである。そして、サービス運営事業者の通信装置２２は、複数の電力パターンから希望需要家条件に適合する電力パターンを抽出し、抽出された電力パターンに対応付けられた需要家情報を電力小売事業者の通信装置２１に送信する。これにより、サービス運営事業者の通信装置２２は、電力小売事業者に適切な需要家情報を通知する。
【０１２７】
図１４は、図３に示された情報通知システム２０の第１適用例を示す模式図である。この例において、電力小売事業者は、契約済需要家の電力パターン（ロードカーブ）として、昼間の電力負荷が大きく、夜間の電力負荷が小さい電力パターンを有している。この状況において、電力小売事業者は、現状のロードカーブを昼間の負荷と夜間の負荷との差が小さい平坦なロードカーブに近づけることを希望している。すなわち、電力小売事業者は、電力負荷を平準化することを希望している。
【０１２８】
サービス運営事業者の通信装置２２は、このような電力小売事業者に対して、希望需要家条件に適合する電力パターンを有する新規需要家の需要家情報を通知することができる。そして、例えば、サービス運営事業者は、図１４のように、夜間の電力負荷が大きい夜型の需要家を新規需要家として電力小売事業者に紹介することができる。
【０１２９】
電力小売事業者は、通知された需要家情報に基づいて、新規需要家と契約を結ぶことにより、現状のロードカーブを希望のロードカーブに近づけることができる。具体的には、図１４において新規需要家が加入後の電力パターンとして示されているように、電力負荷が平準化される。
【０１３０】
図１５は、図３に示された情報通知システム２０の第２適用例を示す模式図である。この例において、電力小売事業者は、契約済需要家の電力パターン（ロードカーブ）として、図１５のような現状のロードカーブを有している。この状況において、電力小売事業者は、図１５のような偏りを有する希望のロードカーブ（目標のロードカーブ）に現状のロードカーブを近づけることを希望している。
【０１３１】
サービス運営事業者の通信装置２２は、このような電力小売事業者に対して、希望需要家条件に適合する電力パターンを有する新規需要家の需要家情報を通知することができる。そして、例えば、サービス運営事業者は、図１５のように、希望のロードカーブに近いロードカーブ（電力パターン）を有する３０世帯の需要家を新規需要家として電力小売事業者に紹介することができる。
【０１３２】
電力小売事業者は、通知された需要家情報に基づいて、新規需要家と契約を結ぶことにより、偏りを有する希望のロードカーブに現状のロードカーブを近づけることができる。
【０１３３】
以上の通り、本実施の形態における情報通知装置１０および通信装置２２は、電力小売事業者が希望する希望需要家条件に需要家の電力使用情報が適合する場合、需要家情報を電力小売事業者に通知する。これにより、情報通知装置１０および通信装置２２は、電力小売事業者に適切な需要家情報を通知することができる。したがって、電力小売事業者が適切な需要家と契約できる可能性が高くなる。その結果、電力サービスが効率的に提供され、発電事業者で発電された電力が有効に活用される。
【０１３４】
例えば、電力小売事業者が電力負荷の平準化などを行う場合において、サービス運営事業者の通信装置２２（情報通知装置１０）は、適切な需要家に関する需要家情報を電力小売事業者に通知することができる。そして、電力小売事業者は、希望需要家条件に適合する需要家を需要家情報に基づいて適切に選択することができる。そして、電力小売事業者は、適切な需要家と契約を結ぶことができる。
【０１３５】
その結果、電力小売事業者は、効率的に電力サービスを提供することができ、発電事業者で発電された電力を有効に活用することができる。そして、電力小売事業者の電力調達コストが削減されることで、需要家の電気料金が削減される。
【０１３６】
以上、本発明に係る情報通知装置について、実施の形態に基づいて説明したが、本発明は、実施の形態に限定されない。実施の形態に対して当業者が思いつく変形を施して得られる形態、および、実施の形態における複数の構成要素を任意に組み合わせて実現される別の形態も本発明に含まれる。
【０１３７】
例えば、特定の構成要素が実行する処理を別の構成要素が実行してもよい。また、処理を実行する順番が変更されてもよいし、複数の処理が並行して実行されてもよい。
【０１３８】
また、本発明は、情報通知装置として実現できるだけでなく、情報通知装置を構成する各構成要素が行うステップ（処理）を含む方法として実現できる。例えば、それらのステップは、コンピュータによって実行される。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１３９】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１４０】
また、情報通知装置に含まれる複数の構成要素は、それぞれ、専用または汎用の回路として実現されてもよい。これらの構成要素は、１つの回路として実現されてもよいし、複数の回路として実現されてもよい。
【０１４１】
また、情報通知装置に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【０１４２】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１４３】
さらに、半導体技術の進歩または派生する別技術によりＬＳＩに置き換わる集積回路化の技術が登場すれば、当然、その技術を用いて、情報通知装置に含まれる複数の構成要素の集積回路化が行われてもよい。
【符号の説明】
【０１４４】
１０  情報通知装置
１１  受信部
１２、３２  判定部
１３  通知部
２２  通信装置（情報通知装置）
３３  通信部（受信部／通知部）
【図１】
2016103956.tif 000003
【図２】
2016103956.tif 000004
【図３】
2016103956.tif 000005
【図４】
2016103956.tif 000006
【図５】
2016103956.tif 000007
【図６】
2016103956.tif 000008
【図７】
2016103956.tif 000009
【図８】
2016103956.tif 000010
【図９】
2016103956.tif 000011
【図１０】
2016103956.tif 000012
【図１１】
2016103956.tif 000013
【図１２】
2016103956.tif 000014
【図１３】
2016103956.tif 000015
【図１４】
2016103956.tif 000016
【図１５】
2016103956.tif 000017